(57)【要約】【課題】１系統の通信手段で複数の電源を管理することを前提とし、電源の異常検知が必要な状態で確実に異常を検知し、緊急終了処理を行うことができる撮像装置を提供する。【解決手段】記録媒体に画像データを書き込む記録部１０５と、カメラ本体１００の電源の状態を監視する電源状態監視動作とアクセサリー装置２００の電源である通信電池２０３と通信する通信動作とのいずれかを選択して実行する電源制御部１０８とを備える。電源制御部１０８は、記録部１０５による画像データの書き込み動作中は、電源状態監視動作を選択して実行する。【選択図】図１
2010068413.tif 000002
【特許請求の範囲】
【請求項１】
撮像装置本体と、前記撮像装置本体に接続されるアクセサリー装置からなる撮像装置において、
記録媒体に画像データを書き込む書き込み制御手段と、
前記撮像装置本体の電源の状態を監視する電源状態監視動作と前記アクセサリー装置の電源である電池と通信する通信動作とのいずれかを選択して実行する動作制御手段とを備え、
前記動作制御手段は、前記書き込み制御手段による前記画像データの書き込み動作中は、前記電源状態監視動作を選択して実行することを特徴とする撮像装置。
【請求項２】
前記撮像装置本体の電源は、外部電源装置から供給される電源であることを特徴とする請求項１記載の撮像装置。
【請求項３】
前記撮像装置本体は撮影動作を開始するための操作手段を備え、
前記動作制御手段は、前記操作手段が操作されたときから前記画像データの書き込み動作が終了するまでの間、前記電源状態監視動作を選択して実行することを特徴とする請求項１記載の撮像装置。
【請求項４】
前記動作制御手段は、前記画像データの書き込み動作が終了した後に前記通信動作を実行することを特徴とする請求項１記載の撮像装置。
【発明の詳細な説明】
【技術分野】
【０００１】
本発明は、静止画像や動画像を撮像（撮影）、記録、再生する撮像装置に関する。
【背景技術】
【０００２】
撮像装置としてのデジタルカメラで使用される電池パックには、通信機能が搭載されたものが存在する。通信機能が搭載された電池パックは、自身の電圧や放電電流などの情報を元に残容量などの情報を算出し、通信線を介してカメラ本体に送信することができる。
【０００３】
デジタルカメラに装着できる電池以外の電源にＡＣアダプターがある。ＡＣアダプターは、ＡＣ電源の電力をＤＣに変換してデジタルカメラに供給する。ＡＣアダプターは、ＡＣ電源のコードが引き抜かれた場合に、短時間でデジタルカメラに電力を供給できなくなるという特徴があるため、デジタルカメラに対してＡＣ電源コードの引き抜きを何らかの方法で通知する必要がある。
【０００４】
従来のＡＣアダプターには、ＡＣ電源の電力をＤＣに変換したものに供給電圧に応じた信号電圧を合成することで、装着された電子機器に電圧の変化を通知するものがある（特許文献１参照）。
【０００５】
上記の通信機能搭載の電池パックを使用するデジタルカメラの場合、電池（電源）収納部に通信線の端子が実装されるので、ＡＣアダプターは、デジタルカメラへのコード引き抜き通知に通信線を使用することができる。デジタルカメラは、自身にＡＣアダプターが収納されている場合、通信線の信号の変化を検知すると、ＡＣ電源コードが引き抜かれたと判断して緊急終了処理を行う。
【０００６】
次に、デジタルカメラが２つ以上の電源を管理する場合を考える。
【０００７】
例えば、デジタルカメラにアクセサリーが装着でき、アクセサリーもカメラ本体と同じ規格の電源を利用するとする。アクセサリーが電源と通信する手段を持たず、電源との通信線をカメラ本体が管理する場合、カメラ本体に電源との通信手段が１系統しかないとすると、通信先を切り替えて電源を管理することになる。
【０００８】
すると、デジタルカメラは、「カメラ本体に装着された電源の通信線」と「アクセサリーに装着された電源の通信線」の両方を同時に監視することができない。
【０００９】
上記の電源構成において、デジタルカメラにＡＣアダプターが装着されている状態で、アクセサリーの電池と通信を行っている間にＡＣ電源のコードを引き抜かれた場合、デジタルカメラは、ＡＣアダプターのコードの引き抜きを検知できない。従って、デジタルカメラがメモリカードにデータを書き込み中だったとすると、カードのデータ破壊などが起こる可能性があった。
【特許文献１】特開平７−１４３７４９号公報
【発明の開示】
【発明が解決しようとする課題】
【００１０】
上記特許文献１に記載の技術によれば、電源の異常をデジタルカメラに通知することができる。
【００１１】
しかし、１系統の通信手段で複数の電源を管理するデジタルカメラにおいては、電源の異常発生で緊急終了処理が必要な状態でも、電源の異常を検知できなくなるタイミングが存在した。
【００１２】
本発明の目的は、１系統の通信手段で複数の電源を管理することを前提とし、電源の異常検知が必要な状態で確実に異常を検知し、緊急終了処理を行うことができる撮像装置を提供することにある。
【課題を解決するための手段】
【００１３】
上記目的を達成するために、本発明の撮像装置は、撮像装置本体と、前記撮像装置本体に接続されるアクセサリー装置からなる撮像装置において、記録媒体に画像データを書き込む書き込み制御手段と、前記撮像装置本体の電源の状態を監視する電源状態監視動作と前記アクセサリー装置の電源である電池と通信する通信動作とのいずれかを選択して実行する動作制御手段とを備え、前記動作制御手段は、前記書き込み制御手段による前記画像データの書き込み動作中は、前記電源状態監視動作を選択して実行することを特徴とする。
【発明の効果】
【００１４】
本発明の撮像装置によれば、１系統の通信手段で複数の電源を管理することを前提とし、電源の異常検知が必要な状態で確実に異常を検知し、緊急終了処理を行うことができる。
【発明を実施するための最良の形態】
【００１５】
以下、本発明を図面を参照しながら詳細に説明する。
【００１６】
図１は、本発明の実施の形態に係る撮像装置としてのデジタルカメラの機能ブロック図である。
【００１７】
図１において、本デジタルカメラ（カメラシステム）は、カメラ本体（撮像装置本体）１００と、カメラ本体１００に接続されるアクセサリー装置２００から構成される。
【００１８】
まず、カメラ本体１００の構成、機能を説明する。
【００１９】
ＡＣアダプター（外部電源装置）１０７は、ＡＣ電源の電力をＤＣに変換してカメラ本体１００に供給する。また、ＡＣアダプター１０７は、カメラ本体１００の起動時には、通信線を介したシリアル通信で電源制御部１０８に自身がＡＣアダプター１０７であることを通知し、ＡＣ電源のコードが引き抜かれた場合は、通信線のレベルを一定時間Ｌｏｗにすることで電源制御部１０８に通知する。
【００２０】
電源制御部１０８は、電源通信部１０９を制御して、カメラ電源収納部１０６とアクセサリー電源収納部２０２の２つのうちの１つと選択的に通信し、電源情報を取得する。そして、電源制御部１０８は、取得した電源情報をカメラ制御部１０１に通知する。
【００２１】
例えば、電源制御部１０８は、カメラ電源収納部１０６にＡＣアダプター１０７が装着されていて通信線のレベルが一定時間Ｌｏｗになったことを検知すると、ＡＣ電源のコードが引き抜かれたと判断する。そして、電源制御部１０８は、カメラ制御部１０１に対してＡＣ電源のコード引き抜きを通知する。
【００２２】
カメラ制御部１０１は、電源制御部１０８から電源情報を取得する。カメラ制御部１０１は、アクセサリー電源収納部２０２に収納された電源の情報を取得した場合は、アクセサリー制御部２０１に通知する。
【００２３】
カメラ制御部１０１は、カメラ電源収納部１０６に収納された電源の情報を取得した場合は、情報の内容に応じた処理を行う。例えば、カメラ制御部１０１は、ＡＣ電源のコード引き抜きを通知された場合は、記録部１０５が画像ファイルを書き込んでいるときは記録部１０５に対して書き込みの中断を依頼する。
【００２４】
また、カメラ制御部１０１は、ユーザ操作部１０２からのユーザの操作情報を受け取り、撮像（撮影）処理、及び画像情報書き込み／読み出し処理等の制御を行う。例えば、カメラ制御部１０１は、ユーザ操作部１０２からレリーズ開始の通知を受け取った場合には、撮像処理を行う。
【００２５】
さらに、カメラ制御部１０１は、アクセサリー装置２００と接続されており、アクセサリー装置２００が接続されたことを検知する。
【００２６】
記録部１０５は、撮像部１０４により得られた画像データに撮影時のパラメータなどを含ませた画像ファイルを作成し、フラッシュメモリ等の記録メディアへ書き込む。記録部１０５は、書き込み中にカメラ制御部１０１から書き込み中断を依頼された場合は、書き込みの中断と記録メディアのクローズ処理を行い、記録メディアを保護する。
【００２７】
ユーザ操作部１０２は、ユーザからの各種釦押下などの操作を受け付け、カメラ制御部１０１に制御を依頼する。
【００２８】
表示部１０３は、カメラ制御部１０１からの依頼を受けて、ユーザに対して各種情報を表示する。
【００２９】
撮像部１０４は、カメラ制御部１０１の制御に従って光学画像をデジタル情報化し、得られた画像データまたは映像データを記録部１０５へ受け渡す。
【００３０】
内部バス１１０は、上記のユニット１０１〜１０５を接続しているバスで、各種情報の伝送経路となる。
【００３１】
カメラ電源収納部１０６には、ＡＣアダプター１０７や通信電池２０３などの電源を収納することができ、電源通信部１０９の通信線と自身に収納された電源を接続する。電源通信部１０９は、通信線を介して電源と通信を行う。
【００３２】
次に、カメラ本体１００に接続されるアクセサリー装置２００の構成、機能を説明する。
【００３３】
アクセサリー装置２００において、アクセサリー制御部２０１は、カメラ制御部１０１に対してアクセサリー装置２００が接続されたことを通知する。
【００３４】
また、アクセサリー制御部２０１は、カメラ制御部１０１からアクセサリー電源収納部２０２に収納された電源の情報を取得した場合は、残量表示の更新をアクセサリー表示部２０４に依頼する。
【００３５】
アクセサリー表示部２０４は、表示部材を制御し、アクセサリー制御部２０１の依頼に応じてユーザに対して各種表示を行う。例えば、電源の残量表示などを行う。
【００３６】
アクセサリー電源収納部２０２には、カメラ電源収納部１０６と同じくＡＣアダプター１０７や通信電池２０３などの電源を収納することができ、電源通信部１０９の通信線と自身に収納された電源を接続する。
【００３７】
通信電池２０３は、ＤＣ電力をカメラ本体１００に供給すると共に、電源制御部１０８の要求に応じて自身の電力量の残量を算出し、電源制御部１０８に通知する。
【００３８】
ここで、記録部１０５は、記録媒体に画像データを書き込む書き込み制御手段として機能する。
【００３９】
また、電源制御部１０８は、カメラ本体１００の電源の状態を監視する電源状態監視動作と、アクセサリー装置２００の電源である通信電池２０３と通信する通信動作とのいずれかを選択して実行する動作制御手段として機能する。
【００４０】
そして、動作制御手段は、書き込み制御手段による画像データの書き込み動作中は、電源状態監視動作を選択して実行する。そして、動作制御手段は、画像データの書き込み動作が終了した後に通信動作を実行する。この内容については、後述する図３で説明する。
【００４１】
また、動作制御手段は、ユーザ操作部１０２が操作されたときから画像データの書き込み動作が終了するまでの間、電源状態監視動作を選択して実行する。
【００４２】
次に、カメラ本体１００が連写動作を行った場合の記録部１０５と電源制御部１０８の状態について説明する。
【００４３】
図２は、図１の撮像装置において、画像を２枚連続で撮影した場合の記録部と電源通信部の状態遷移を表す図である（１）。
【００４４】
具体的には、図２は、カメラ電源収納部１０６とアクセサリー電源収納部２０２の両方に通信電池２０３が収納された場合の記録部１０５と電源通信部１０９の状態遷移を表している。
【００４５】
通信電池２０３は、ＡＣアダプター１０７と異なり、ＡＣ電源コードの引き抜きにより瞬時に電力供給が停止されることはないので、いつでも電源通信部１０９と通信することができる。
【００４６】
まず、記録部１０５の状態３００の遷移について説明する。尚、明示的に示していない区間は待機中状態である。
（１）Ｓ３０１
記録部１０５は、１枚目の画像ファイルの書き込みをカメラ制御部１０１から要求されると「カード書き込み中」となる。連写が完了し、カードに書き込む画像ファイルがなくなると待機中状態に遷移する。
【００４７】
電源通信部１０９の状態（１）４００は、カメラ電源収納部１０６とアクセサリー電源収納部２０２の両方に通信電池２０３が収納された場合の電源通信部１０９の状態遷移を表している。
（１）Ｓ４０１
電源通信部１０９は、１枚目の撮影が開始されると、電池残量の情報を取得するために、カメラ内（カメラ電源収納部１０６内）電池と通信を行う。取得した電池残量の情報は電源制御部１０８に通知する。
（２）Ｓ４０２
電源通信部１０９は、カメラ内電池との通信が終了して電池残量が取得できると、アクセサリー内（アクセサリー電源収納部２０２内）電池と通信を行って残量を取得し、電源制御部１０８に通知する。
（３）Ｓ４０３
電源通信部１０９は、２枚目の撮影が開始されると、電池残量の情報を取得するために再びカメラ内電池と通信を行い、電源制御部１０８に通知する。
（４）Ｓ４０４
電源通信部１０９は、カメラ内電池との通信が終了して電池残量が取得できると、再びアクセサリー内電池と通信を行って残量を取得し、電源制御部１０８に通知する。
【００４８】
このように、電源通信部１０９の状態（１）４００は、記録部１０５の状態３００の遷移の影響を受けない。
【００４９】
図３は、図１の撮像装置において、画像を２枚連続で撮影した場合の記録部と電源通信部の状態遷移を表す図である（２）。
【００５０】
具体的には、図３は、カメラ電源収納部１０６にＡＣアダプター１０７が収納され、アクセサリー電源収納部２０２に通信電池２０３が収納された場合の記録部１０５と電源通信部１０９の状態遷移を表している。
【００５１】
この電源構成で、図３のＳ４０２やＳ４０４のように、カード書き込み中にアクセサリー内電池と通信を行うと、この間はＡＣアダプター１０７の異常を検知できない。そのため電源通信部１０９の状態（２）５００に示した状態遷移を行う。
【００５２】
電源通信部１０９の状態（２）５００は、カメラ電源収納部１０６にＡＣアダプター１０７が収納され、アクセサリー電源収納部２０２に通信電池２０３が収納された場合の電源通信部１０９の状態遷移である。
（１）Ｓ５０１
電源通信部１０９は、撮影動作開始からカード書き込みが完了するまで、通常は、ＡＣアダプター１０７の状態を監視している。この状態で、電源通信部１０９は、例えば、通信線のレベルが一定時間Ｌｏｗになったことを検知すると、ＡＣアダプター１０７のＡＣ電源コードが引き抜かれたと判断し、電源制御部１０８に電源の異常を通知する。
（２）Ｓ５０２
カード書き込みが完了すると、電源通信部１０９は、アクセサリー内電池と通信を行い、アクセサリー内電池の残量を取得し、電源制御部１０８に通知する。
【００５３】
このような状態遷移により、カメラ本体１００は、カード書き込み中にＡＣ電源のコードが引き抜かれたとしても必ず緊急終了処理を行うことができるので、カードのデータ破壊を防ぐことができる。
【図面の簡単な説明】
【００５４】
【図１】本発明の実施の形態に係る撮像装置としてのデジタルカメラの機能ブロック図である。
【図２】図１の撮像装置において、画像を２枚連続で撮影した場合の記録部と電源通信部の状態遷移を表す図である（１）。
【図３】図１の撮像装置において、画像を２枚連続で撮影した場合の記録部と電源通信部の状態遷移を表す図である（２）。
【符号の説明】
【００５５】
１００  カメラ本体
１０１  カメラ制御部
１０２  ユーザ操作部
１０３  表示部
１０４  撮像部
１０５  記録部
１０６  カメラ電源収納部
１０７  ＡＣアダプター
１０８  電源制御部
１０９  電源通信部
１１０：内部バス
２００  アクセサリー装置
２０１  アクセサリー制御部
２０２  アクセサリー電源収納部
２０３  通信電池
２０４  アクセサリー表示部
【図１】
2010068413.tif 000003
【図２】
2010068413.tif 000004
【図３】
2010068413.tif 000005